(57)【要約】  提示される照明デバイス及び動作方法では、ＯＬＥＤが一般照明を提供している間にユーザーがＯＬＥＤを押すことにより生じるＯＬＥＤの電圧又は電流の摂動をモニターし、感知された摂動に基づいて１以上の照明制御信号を生成する。【選択図】    図１
2014519147.tif 000002
【特許請求の範囲】
【請求項１】
ドライバーからのＤＣ電力を受ける第１及び第２の光パネル電力接続、及び
第１及び第２の光パネル電力接続間に作動結合されて、ドライバーにより供給される電流を用いて一般照明を提供する１以上の有機発光ダイオード（ＯＬＥＤ）
を含む光パネルと、
光パネルに作動結合されて、１以上のＯＬＥＤが一般照明を提供する間にユーザーによる１以上のＯＬＥＤの物理的起動により生ずる、第１及び第２の光パネル電力接続にかかる電圧又は１以上のＯＬＥＤを通って流れる電流における摂動を感知し、少なくとも部分的に感知された摂動に基づいて１以上の起動信号を選択的に提供する起動検出回路と
を含む照明デバイス。
【請求項２】
起動検出回路が、感知された摂動の大きさを閾値と比較し、感知された摂動の大きさが閾値より大きい場合１以上の起動信号を選択的に提供するように作動する、請求項１記載の照明デバイス。
【請求項３】
起動検出回路が、感知された摂動の大きさを複数の閾値と比較し、少なくとも部分的に、感知された摂動の大きさが複数の閾値のいずれを超えたかに基づいて、１以上の起動信号を選択的に提供するように作動する、請求項２記載の照明デバイス。
【請求項４】
起動検出回路が、感知された摂動の大きさが複数の閾値のいずれを超えたかを示すように複数の起動信号を選択的に提供する、請求項３記載の照明デバイス。
【請求項５】
起動検出回路が、感知された摂動の大きさが閾値より大きい場合１以上の起動信号又は値を選択的に提供するように作動するプロセッサーを含む、請求項２記載の照明デバイス。
【請求項６】
プロセッサーが、閾値より大きい大きさの複数の摂動がゼロでない所定の時間内に感知された場合にのみ１以上の起動信号又は値を提供するように作動する、請求項５記載の照明デバイス。
【請求項７】
起動検出回路が、少なくとも部分的に感知された摂動に基づいて１以上の起動信号又は値を選択的に提供するように作動するプロセッサーを含む、請求項１記載の照明デバイス。
【請求項８】
プロセッサーが、ゼロでない所定の時間内に複数の摂動が感知された場合にのみ１以上の起動信号又は値を提供するように作動する、請求項７記載の照明デバイス。
【請求項９】
プロセッサーが、少なくとも部分的に感知された摂動の大きさに基づいて異なる起動信号又は値を選択的に提供するように作動する、請求項７記載の照明デバイス。
【請求項１０】
さらに、１以上の外部デバイスにメッセージを送信するように作動する通信用インターフェースを含んでおり、プロセッサーが１以上の外部デバイスに送信するための１以上の起動信号又は値を通信用インターフェースに供給するように作動する、請求項７記載の照明デバイス。
【請求項１１】
さらに、第１及び第２の光パネル電力接続を介して光パネルにＤＣ電力を供給するように作動するドライバーを含む、請求項１記載の照明デバイス。
【請求項１２】
起動検出回路が１以上の起動信号をドライバーに供給するように作動し、ドライバーが少なくとも部分的に１以上の起動信号に基づいて光パネルに供給されるＤＣ電力の量を選択的に変化させるように作動する、請求項１１記載の照明デバイス。
【請求項１３】
さらに、少なくとも部分的に感知された摂動に基づいて１以上の起動信号又は値を含むメッセージを１以上の外部デバイスに送信するように作動する通信用インターフェースを含む、請求項１１記載の照明デバイス。
【請求項１４】
さらに、少なくとも部分的に感知された摂動に基づいて１以上の起動信号又は値を含むメッセージを１以上の外部デバイスに送信するように作動する通信用インターフェースを含む、請求項１記載の照明デバイス。
【請求項１５】
起動検出回路が、
入力及び出力を含む増幅器と、
第１及び第２の光パネル電力接続の一方と増幅器の入力との間に連結されたキャパシタンスと、
増幅器の出力に結合された第１のコンパレータ入力、
閾値電圧に結合された第２のコンパレータ入力、及び
第１及び第２のコンパレータ入力における電圧の相対的極性に従って設定される出力電圧を有するコンパレータ出力
を含むコンパレータと、
コンパレータと作動結合されていて、コンパレータ出力の出力電圧を検出し、コンパレータ出力の出力電圧に基づいてパルス検出器出力を提供するパルス検出器と、
パルス検出器出力をラッチして１以上の起動信号を提供するように作動するラッチと
を含む、請求項１記載の照明デバイス。
【請求項１６】
一般照明を提供する光パネルの１以上の有機発光ダイオード（ＯＬＥＤ）の物理的起動を検出するための起動検出回路であって、
光パネルの１以上のＯＬＥＤに関連する電圧又は電流を感知するための１以上の光パネル電力接続と、
１以上の光パネル電力接続と作動結合されて、１以上のＯＬＥＤが一般照明を提供している間にユーザーによる１以上のＯＬＥＤの物理的起動により生ずる、１以上のＯＬＥＤにかかる電圧又は１以上のＯＬＥＤを通って流れる電流の摂動を感知する検出回路であって、
１以上の光パネル電力接続にＡＣ結合された出力及び入力を含む増幅器、
増幅器の出力に連結された第１のコンパレータ入力、閾値電圧に連結された第２のコンパレータ入力結合、及び第１及び第２のコンパレータ入力における電圧の相対的極性に従って設定される出力電圧を有するコンパレータ出力を含むコンパレータ、及び
コンパレータに作動結合されて、コンパレータ出力の出力電圧を検出し、コンパレータ出力の出力電圧に基づいてパルス検出器出力を提供するパルス検出器
を含む前記検出回路と、
パルス検出器出力をラッチして１以上の起動信号を提供するように作動するラッチと
を備える起動検出回路。
【請求項１７】
照明システムのための電源であって、
入力電力を受ける第１及び第２の入力、並びに第１及び第２のドライバー出力を有しており、入力電力を変換して、接続された光パネルの１以上の有機発光ダイオード（ＯＬＥＤ）に第１及び第２のドライバー出力を介してＤＣ電力を供給して、１以上のＯＬＥＤに一般照明を提供させるように作動するドライバー回路と、
接続された光パネルに作動結合されて、ドライバー回路が１以上のＯＬＥＤにＤＣ電力を供給している間にユーザーによる１以上のＯＬＥＤの物理的起動により生ずる、第１及び第２のドライバー出力にかかる電圧又は接続された光パネルの少なくとも一部を通って流れる電流における摂動を感知し、少なくとも部分的に感知された摂動に基づいて１以上の起動信号を選択的に提供するように作動する起動検出回路と
を備える電源。
【請求項１８】
起動検出回路が１以上の起動信号をドライバー回路に供給し、ドライバー回路が少なくとも部分的に１以上の起動信号に基づいて１以上のＯＬＥＤに供給されるＤＣ電力の量を選択的に調節するように作動する、請求項１７記載の電源。
【請求項１９】
さらに信号出力を含んでおり、起動検出回路が１以上の起動信号を信号出力に供給する、請求項１７記載の電源。
【請求項２０】
１以上の有機発光ダイオード（ＯＬＥＤ）を有する光パネルにＤＣ電力を供給して１以上のＯＬＥＤに一般照明を提供させ、
１以上のＯＬＥＤが一般照明を提供している間にユーザーによる１以上のＯＬＥＤの物理的起動により生じる光パネルの第１及び第２の電力接続にかかる電圧又は１以上のＯＬＥＤを通って流れる電流における摂動を感知し、
少なくとも部分的に感知された摂動に基づいて１以上のデバイスの１以上の作動パラメーターを制御する
ことを含む、１以上の照明デバイスを制御する方法。
【発明の詳細な説明】
【背景技術】
【０００１】
近年、有機発光ダイオード（ＯＬＥＤ）技術は多くの新製品開発活動の対象となっている。ＯＬＥＤは非常に薄く柔軟な形態因子、高い効率、高い光出力、等を始めとする幾つかの技術的利点の故に普及している。さらに、これらのデバイスは屋内及び屋外の両方の設備に使用するように適合させることができ、小面積及び／又は大面積の照明用途に使用することができる。他の一般照明の電源と同様に、ユーザーは通例壁又はテーブルに取り付けられたスイッチ及び／又は調光器を用いてＯＬＥＤ系デバイスを操作して所望の光出力を設定する。しかし、かかる外部の制御スイッチ／調光器は高価であり、通例壁、テーブル表面、等に常設された設備を必要とする。従って、改良された照明デバイス及びそのための制御装置に対するニーズが残されている。
【先行技術文献】
【特許文献】
【０００２】
【特許文献１】米国特許出願公開第２０１０／２３１５４８号
【発明の概要】
【課題を解決するための手段】
【０００３】
本開示は、ユーザーがＯＬＥＤパネル又はその特定の一部分を押して、調光、オン／オフ制御、等のような１以上の照明制御機能、及び／又は他のタイプのデバイス及びシステムに関して制御操作を開始することができる、照明デバイス、並びに照明及びその他のデバイスを作動させる方法を提供する。本発明者は、有機物質が柔軟であり、外部応力に対して感受性であることを認めた。すなわち、ＯＬＥＤパネルの圧縮の際、ＯＬＥＤの抵抗率及び／又はキャパシタンスは分子間距離の減少及び軌道の重なりの増大によって変化し得る。このため、隣接する分子間の電子伝達の速度が速くなり、結果として作動するＯＬＥＤ若しくはそのアレイを横切って測定される電圧又はＯＬＥＤを通って流れる電流に撹乱又は摂動が生じる可能性がある。本開示は、かかるユーザーにより開始された電圧又は電流の摂動を検出し、照明制御の目的に使用することができる技術及び装置を提供する。これは次に、現状技術に対する様々な進歩を容易にし、例えば、ＯＬＥＤデバイスは、起動されたデバイスの調光性を制御するためにユーザーが光パネルを単に押すだけで自己調光性であることができ、また同様に他の照明デバイス及びその他の機能を提供する外部のデバイスを始めとする他の接続されたデバイスを制御するためにも使用することができる。このように、例えば、ユーザーは、壁に取り付けられたＯＬＥＤ照明デバイスを押して、他のデバイス（例えば、天井に取り付けられたライト）を作動させたり停止させたりすることができ、及び／又は１以上の他のデバイスを選択的に調光（薄暗く）することができる。さらに、ユーザーにより起動させられるＯＬＥＤ照明デバイスを用いて、天井扇風機、家庭用電化製品、等のような他の多数の制御可能なデバイス及びシステムの制御を開始することができる。
【０００４】
ドライバーからのＤＣ電力を受け取る一対の電力接続、及びドライバーからの電流を使用して一般照明を提供する１以上のＯＬＥＤを有する光パネルを含む照明デバイスが提供される。この照明デバイスはさらに、１以上のＯＬＥＤが一般照明を提供する間にユーザーによるＯＬＥＤの物理的起動により生じる光パネル電力接続を横切る電圧又は１以上のＯＬＥＤを通って流れる電流における摂動を感知する起動検出回路を含む。この起動検出回路は、全体又は一部が感知された摂動に基づいて１以上の起動信号を関連するドライバー又は１以上の外部デバイスに選択的に提供する。
【０００５】
幾つかの実施形態において、起動検出回路は摂動の大きさを１以上の閾値と比較し、閾値との比較結果に従って１以上の起動信号を提供する。このようにして、ユーザーがＯＬＥＤを押す強さ及び／又はＯＬＥＤが押される部分に基づいて、異なる制御処置を採ることができ、従って照明条件及び／又は外部デバイスの作動パラメーターのより詳細なユーザー制御が可能になる。
【０００６】
さらに、幾つかの実施形態において、照明デバイスは偶然の起動と照明制御のために意図されたものとを区別することができる。幾つかの実施において、照明デバイスは、ゼロでない所定の時間内に複数の摂動が検出された場合、１以上の起動信号又は値を提供するプロセッサーを含み得る。従って、例えば、デバイスは、ユーザーがＯＬＥＤを二回以上押した場合制御処置を選択的に実行し、ＯＬＥＤが一回だけ押された場合には処置を控えることができる。
【０００７】
幾つかの実施形態において、１以上の外部デバイスにメッセージを伝送するために通信用インターフェースが提供され、プロセッサー又は起動検出回路がＯＬＥＤの起動に応じて１以上の起動信号又は値を伝送のための通信用インターフェースに提供する。
【０００８】
幾つかの実施形態において、照明デバイスは、ユーザーにより起動させられる光パネルに電力を提供するために内部ドライバー回路を含む。幾つかの実施において、起動検出回路は起動されたＯＬＥＤの自己調光性のためのオンボード（組み込まれた）ドライバーに起動信号を提供し、ドライバーは光パネルに提供される電力の量を少なくとも部分的に受け取った起動信号に基づいて選択的に変更する。他の実施形態において、起動検出回路は１以上の外部デバイスにその制御のために起動信号を直接提供することができ、又は起動信号若しくは値はオンボード通信用インターフェースを介してかかる外部デバイスに提供することができる。
【０００９】
幾つかの実施形態において、起動検出回路は、光パネル電力接続の１つからのＡＣ結合信号を受け取る増幅器、及び増幅された信号を１以上の閾値と比較するコンパレータを含む。パルス検出器回路はコンパレータの出力を検出し、起動信号を提供するラッチに出力を提供する。
【００１０】
１以上のＯＬＥＤの物理的起動の検出のための起動検出回路が提供される。この回路は、ＯＬＥＤと関連する電圧又は電流を感知するための接続、及びＯＬＥＤが電力を供給されて一般照明を提供する間にＯＬＥＤを横切ってかかる電圧の摂動又はＯＬＥＤを通って流れる電流の摂動を感知する検出回路を含む。
【００１１】
一般照明のための接続された光パネルの１以上のＯＬＥＤにＤＣ電力を供給する出力を有するドライバー回路を含む、照明システムのための電源が提供される。この電源はさらに、ドライバー回路がＯＬＥＤに電力を供給する間にユーザーによるＯＬＥＤの物理的起動によって生じる接続された光パネルに関連する電圧又は電流の摂動を感知するために、接続された光パネルと結合した起動検出回路を含む。この起動検出回路は、少なくとも部分的に感知された摂動に基づいて１以上の起動信号を選択的に提供する。幾つかの実施形態において、この起動信号はドライバーに供給され、このドライバーはＯＬＥＤに供給される電力の量を少なくとも部分的に起動信号に従って選択的に調節する。さらに、幾つかの実施形態において、電源は信号出力を含み、起動検出回路は１以上の起動信号をその信号出力に提供する。
【００１２】
１以上のデバイスを制御するための方法が提供され、この方法は、一般照明を提供するために１以上のＯＬＥＤを含む光パネルにＤＣ電力を供給することを含む。ＯＬＥＤが一般照明を提供する間に光パネル電力接続を横切る電圧又はＯＬＥＤを通って流れる電流において、ＯＬＥＤの物理的起動によって生じる摂動を感知する。この方法はさらに、１以上の照明又はその他のタイプのデバイスの１以上の作動パラメーターを少なくとも部分的に感知された摂動に基づいて制御することを含む。
【００１３】
１以上の代表的な実施形態を以下の詳細な説明及び図面に記載する。
【図面の簡単な説明】
【００１４】
【図１】図１は、本開示による、光パネルの１以上のＯＬＥＤを押すことによりユーザーにより開始された調光制御処置を検出するための起動検出回路及びオンボードドライバーを有する代表的な自己調光性ＯＬＥＤ系照明デバイスを示す概略図である。
【図２】図２は、外部のドライバーによって駆動される起動検出回路を有する別の照明デバイスを示す概略図であり、ドライバーは起動検出回路により供給される起動信号に従って調光レベルを制御する。
【図３】図３は、オンボードＯＬＥＤアレイ又は光パネルに自己調光性制御を提供すると共に１以上の外部の光パネル又はその他のタイプの外部デバイスを調光するオンボードドライバーを備えたユーザーにより起動させられるＯＬＥＤ系照明デバイスを示す概略図である。
【図４】図４は、複数の照明デバイスに電力を供給する外部のドライバーによって調光性制御のための起動信号を提供するユーザーにより起動させられるＯＬＥＤ系照明デバイスを有する別の照明システムを示す概略図である。
【図５】図５は、ユーザーにより起動させられるＯＬＥＤ系デバイスにより供給される起動信号に従って複数の照明デバイスが調光されるさらに別の実施形態を示す。
【図６】図６は、ユーザーにより起動させられるＯＬＥＤ系デバイスにより供給される起動信号に従って複数の照明デバイスが調光されるさらに別の実施形態を示す。
【図７】図７は、ユーザーにより起動させられるＯＬＥＤ系デバイスにより供給される起動信号に従って複数の照明デバイスが調光されるさらに別の実施形態を示す。
【図８】図８は、ユーザーにより起動させられるＯＬＥＤ系デバイスにより供給される起動信号に従って複数の照明デバイスが調光されるさらに別の実施形態を示す。
【図９】図９は、ユーザーにより起動させられるＯＬＥＤ系照明デバイスの代表的な起動検出回路のさらなる詳細を示す概略図であり、ＡＣ結合信号が増幅され、複数の閾値電圧と比較されて照明条件を調節するための１以上の起動信号を生成する。
【図１０】図１０は、ＯＬＥＤパネルを押すユーザーに従うバイレベル制御を有する代表的な自己調光性ＯＬＥＤ系照明デバイスを示す概略図である。
【図１１】図１１は、別の代表的な起動検出回路実施形態を示す概略図であり、プロセッサーが、ＯＬＥＤパネルのユーザーの起動により生じた感知された電圧の撹乱に基づく起動制御信号を受け取り、通信用インターフェースを介して１以上の起動制御信号又は値を直接関連するドライバー及び／又は１以上の外部の照明デバイスに供給する。
【図１２】図１２は、もう１つ別の実施形態を示す概略図であり、ドライバーは、起動検出回路からの起動信号を受け取り、ドライバーレベルを制御するため、及び／又は通信用インターフェースを用いて外部デバイスを制御するために起動制御信号又は値を供給するプロセッサーを含む。
【図１３】図１３は、複数のコンパレータ閾値を用いる、ＯＬＥＤパネルの異なる部分を押すユーザーにより生じた電圧の摂動の検出及び識別を図示するグラフである。
【図１４】図１４は、複数のコンパレータ閾値を用いる、ＯＬＥＤパネルの異なる部分を押すユーザーにより生じた電圧の摂動の検出及び識別を図示するグラフである。
【図１５】図１５は、本開示による、光パネルの１以上のＯＬＥＤを押すユーザーにより生じた電流の摂動を検出するための起動検出回路を含む、オンボードドライバーを有する代表的な自己調光性ＯＬＥＤ系照明デバイスを示す概略図である。
【図１６】図１６は、本開示による、光パネルの１以上のＯＬＥＤを押すユーザーにより生じた電流の摂動を検出するための起動検出回路を含む、外部のドライバーを有する代表的な自己調光性ＯＬＥＤ系照明デバイスを示す概略図である。
【図１７】図１７は、複数のコンパレータ閾値を用いる、ＯＬＥＤパネルの異なる部分を押すユーザーにより生じた電流の摂動の検出及び識別を図示するグラフである。
【図１８】図１８は、複数のコンパレータ閾値を用いる、ＯＬＥＤパネルの異なる部分を押すユーザーにより生じた電流の摂動の検出及び識別を図示するグラフである。
【図１９】図１９は、接続された光パネルの物理的起動を駆動し検出するための起動検出回路及びＡＣ−ＤＣコンバータを有するドライバー回路を示す概略図である。
【図２０】図２０は、接続された光パネルの物理的起動を駆動し検出するための起動検出回路及びＡＣ−ＤＣコンバータを有するドライバー回路を示す概略図である。
【発明を実施するための形態】
【００１５】
ここで図面を参照すると、全図面を通して類似の要素に対して類似の参照番号が使用されており、様々な特徴は必ずしも一定の縮尺で描かれてはいない。図１は、電源１０４から入力端子Ｔ１及びＴ２を介してＡＣ入力電力を受け取る代表的なＯＬＥＤ系照明デバイス１１０を含む照明システム１０２を図示する。端末デバイス１１０は、ユーザーがデバイスの明かりのついた一部分を押すことにより一般照明（調光）レベルを調節するためにデバイス１１０を物理的に起動することができる自己調光性デバイスである。そしてオンボードドライバー１２０が電源１０４からのＡＣ入力電力を受け取り、１以上のＯＬＥＤ１３１を有するＯＬＥＤ系光パネル１３０に調整されたＤＣ出力電流を供給する。ドライバー１２０は、レベル制御回路１２２を介してほぼ一定の出力電流を調整することにより定常状態作動でほぼ一定の電流、従ってほぼ一定の光出力を提供する定電流源である。レベル制御回路１２２はドライバー１２０の電流調整器に設定値を供給し、このドライバーの設定値を、受け取った起動信号入力１４２に従って選択的に調節し得る。後述の図１５及び１６は、定電圧ドライバー回路１２０を使用し、起動検出回路１４０が電流の摂動２２２を検出する代わりの実施形態を例示する。
【００１６】
光パネル１３０は任意の適切な構成、形状及び形態因子であることができ、例えば、一般に、パネル１３０の１つの平坦な表面から外へ向かう一般照明出力エミッターを提供するために前記平坦な表面上にストリップ又はセルとして構成される１以上のＯＬＥＤデバイス１３１を有する薄いパネルであることができる。１つの例において、デバイス１１０は壁の表面、卓上、又はオペレーター（ユーザー）が届き得るその他の位置に据え付けることができ、１以上のＯＬＥＤ１３１がユーザーのための一般照明を提供するように外へ向いている。幾つかの実施形態において、ＬＥＤ又はその他のＤＣ駆動照明構成要素のような１以上の非ＯＬＥＤ発光性構成要素を光パネル１３０に含ませることができ、但しこのパネル１３０は起動検出回路１４０によりＯＬＥＤ１３１を押すユーザーの検出が可能になるようにＤＣ電力端子１３２及び１３４間に直接又は間接的に接続された１以上のユーザーにより起動させられるＯＬＥＤ１３１を含む。ドライバー１２０は光パネル電力接続１３２及び１３４を経由して光パネル１３０に入力電力を供給して、ドライバーの正のＤＣ出力から第１の接続１３２によりＯＬＥＤ１３１を通り第２の電力接続１３４を通ってドライバー１２０の負の戻り端子に戻るドライバー電流の伝導経路を創成する。
【００１７】
図１３及び１４も参照すると、通常の定常状態作動において、パネル１３０のＯＬＥＤ１３１を通るＤＣドライバー電流の伝導は端子１３２及び１３４を横切って一般にＤＣ電圧を創成する。デバイス１１０は端子１３２及び１３４に接続された起動検出回路１４０を含んでいて、光パネル端子を横切る電圧に、ユーザーによるＯＬＥＤ１３１の物理的起動により生じた電圧摂動２０２（図１３及び１４）を感知する。起動検出回路１４０は、少なくとも部分的に、端子１３２及び１３４にかかる電圧で感知された電圧摂動２０２に従ってドライバー１２０のレベル制御回路１２２に起動信号１４２を選択的に供給する。この実施形態において、ドライバー１２０は照明デバイス１１０に組み込まれていて起動信号１４２を直接受け取る。結果として、自身の調光制御を提供して、ユーザーが光パネル１３０を単に押すだけでレベル制御１２２を起こさせて光出力レベルを変化させることができる簡単な２つの端末デバイスが提供される。
【００１８】
図２は代わりの実施形態を例示し、照明デバイス１１０は、外部のドライバー１２０から入力ＤＣ電力を受け取るために光パネル電力接続１３２及び１３４にそれぞれ接続された第１及び第２の端子Ｔ１及びＴ２、並びに起動信号１４２を出力として１以上の外部デバイスに供給するための第３の端子Ｔ３を含んでいる。この例において、システム１０２はＡＣ入力源１０４からの電力を受け取る外部のＤＣドライバー１２０を含んでおり、このドライバー１２０はユーザーにより起動させられる光パネル１３０に端子Ｔ１及びＴ２を介してＤＣ出力電流を供給する。この実施形態においては、さらに、照明デバイス１１０の起動検出回路１４０からの起動信号１４２を受け取るために、ドライバー１２０のレベル制御回路１２２が第３の端子Ｔ３に接続されている。また、この実施形態におけるレベル制御回路１２２は、ドライバー１２０の電力出力レベル（例えば、ドライバーの内部の電流調整器に対する設定値）を受け取った信号１４２に従って選択的に変化させるように動作させる。図１の実施形態と同様に、ユーザーは光パネル１３０の１以上のＯＬＥＤ１３１を単に押すか又はその他物理的に起動することができ、起動検出回路１４０は結果として得られる端子１３２及び１３４にかかる電圧の摂動２０２を検出し、光パネル１３０のユーザーの起動に応じて１以上の起動信号１４２を生成する。こうして、この実施形態では、外部のスイッチ又は調光制御デバイスを必要とすることなく、ユーザーがデバイス１１０自体を起動することによりデバイス１１０の光出力レベルを設定することも可能になる。
【００１９】
図３及び４は、照明システム１０２の一部を形成する代表的なＯＬＥＤ系のユーザーにより起動させられる照明デバイス１１０を示し、共用のＤＣドライバー１２０がＤＣ出力電力を複数の光パネル１３０に供給し、光パネルの幾つかは照明デバイス１１０の外部にある。図３の例では、共用のＤＣドライバー回路１２０はユーザーにより起動させられる照明デバイス１１０と一体であるが、図４に示した例では外部のドライバー１２０を使用する。さらに、図３の照明デバイス１１０は２つのＡＣ入力端子Ｔ１及びＴ２並びに２つのＤＣ出力端子Ｔ３及びＴ４を有する４端末デバイスであるが、図４のデバイス１１０はＤＣ入力電力を受けるための端子Ｔ１及びＴ２並びに起動信号出力１４２をドライバー１２０のレベル制御回路１２２に供給するための端子Ｔ３を含んでいる。
【００２０】
図５−８に示されているように、ユーザーにより起動させられるＯＬＥＤ系照明デバイス１１０により供給される起動信号１４２は、自身のドライバー１２０を含む外部デバイスの作動上の設定を制御するために使用することができる。この点に関して、起動信号１４２は加熱／空調装置、テレビ、家庭用電化製品、等のような他の非照明デバイスを制御するのに使用することができる。図５及び６の実施形態において、ユーザーにより起動させられる照明デバイス１１０は起動信号１４２に従って関連するドライバー１２０の制御回路１２２を介して調光され、ここで関連するドライバー１２０は図５の例では照明デバイス１１０に組み込まれ、図６の例では関連するドライバー１２０が外部デバイスである。図５及び６の例において、ユーザーは光パネル１３０のＯＬＥＤ１３１を押すことにより起動可能な照明デバイス１１０を動作させて、起動可能な照明デバイス及び外部の照明デバイス１１０が調和して調光されるようにすることができる。
【００２１】
図７及び８において、ユーザーにより起動させられるＯＬＥＤ系デバイス１１０は非調光性ドライバー１２０（ドライバー１２０は図７の例では一体であり、図８の例では外部にある）から一定のＤＣ電力が供給される。これらの実施形態において、ユーザーにより起動させられる照明デバイス１１０はここでも、調光レベルを変化させるためのオンボードレベル制御回路１２２を有する１以上の外部の照明デバイス１１０に端子Ｔ３を介して起動信号１４２を出力として供給する。これらの例において、ユーザーは、他の照明デバイス１１０に関して図示した例における調光及び／又は他の実施形態におけるオン／オフ制御のような１以上の制御された作動を実行するために、そのＯＬＥＤ光パネル１３０を押すことにより起動可能な照明デバイス１１０を動作させることができる。例えば、ユーザーにより起動させられるデバイス１１０は壁に取り付けて一般照明を提供し得、他のデバイスは住宅のダイニングルームのように天井に取り付けられ得る。これらの図に示したシステム構成は、ユーザーが壁に取り付けた照明デバイス１１０を押すことにより天井の光を調光することを可能にする。
【００２２】
図９は、起動可能な光パネル１３０の光パネル電力接続１３２及び１３４に接続された起動検出回路１４０の１つの実施形態のさらなる詳細を図示する。コンデンサＣ１は接続１３２及び１３４で感知された電圧とＡＣ結合し、この場合第１の１つのコンデンサ端子は上側の電力接続１３２に連結され、第２の端子は１つの可能な実施形態において演算増幅器回路であることができる増幅器回路１４３の入力に連結される。増幅器１４３は出力をコンパレータ回路１４４の第１の入力に供給する。コンパレータ１４４は幾つかの実施形態において複数のコンパレータ構成要素又は他の回路を含み得、それにより増幅器１４３の出力が２以上の閾値電圧１４５と比較される。かかる実施形態において、コンパレータ回路１４４は複数のコンパレータ又は比較出力をパルス検出器回路１４６に供給する。図１３及び１４に関連して以下に記載するように、複数の閾値を用いて、ユーザーが光パネル１３０の複数の異なる部分の１つを押したかどうかを識別し、及び／又はパネル１３０にかけられた異なるレベルの起動圧力間を区別することができる。例えば、個別のアナログ実行において、幾つかのコンパレータを回路１４４内に備えることができ、その各々が、増幅器１４３の出力に接続された１つの入力、並びに参照閾値電圧１４５の対応する１つに接続された別の入力、及び対応するパルス検出器１４６を駆動する別の出力を有する。次に、パルス検出器出力が対応する複数のラッチ回路１４８に供給され、そこで起動信号１４２が生成する。
【００２３】
図１０は、起動検出回路１４０が、図９に関連して上記したＡＣ結合コンデンサＣ１及び増幅器１４３、並びに増幅器１４３の出力を単一の参照閾値電圧１４５と比較するための単一のコンパレータ回路１４０を含む別の実施形態を示す。コンパレータの出力はパルス検出器１４６を駆動し、ラッチ１４８は、電力接続１３２及び１３４を横切る電圧において検出された電圧の撹乱又は摂動が、増幅後、閾値１４５より大きいことを示す起動信号１４２を提供する。これは、今度は、ユーザーが１以上のＯＬＥＤ１３１を起動したことを示す。
【００２４】
この実施形態においては、さらに、ドライバー１２０が、閉鎖ループ電流調整のためにレベル制御回路１２２に入力を供給するフィードバック電圧入力（ＶＦ）を含む。調節可能なフィードバック回路がＯＬＥＤ１３１と下側の電力接続１３４の間の戻り経路内に提供され、これはＦＥＴ  Ｑ１及び第２の抵抗器Ｒ２のソース−ドレインチャネルの直列結合と並列に接続されたノミナルフィードバック抵抗器Ｒ１を含む。この実施形態においては、１つの調光レベルに対して、起動信号１４２がＱ１を遮断する結果、唯一のフィードバック抵抗がＲ１であり、レベル制御回路１２２に供給される電圧フィードバックは第１の電圧レベルである。逆に、ユーザーがＯＬＥＤ１３１を起動すると、ラッチ回路１４８が起動信号１４２を供給してＱ１を作動させることにより戻り経路内のフィードバック抵抗がＲ１とＲ２の並列結合（Ｑ１のＲＤＳＯＮと直列）となり、これが次にレベル制御回路１２２に供給される電圧フィードバックのレベルを変化させる。こうして、ユーザーは、起動可能なＯＬＥＤ１３１を単に押すことによって、外部の調光制御デバイスを必要とすることなく光出力レベルを２つの別個の値の間で切り替えることができる。
【００２５】
図１１は別の起動検出回路の実施形態を図示しており、プロセッサー１４１が起動検出回路１４０内に備えられ、ラッチ回路１４８からの起動信号１４２を受け取る。この場合、プロセッサー１４１は（ユーザーにより起動させられるＯＬＥＤ１３１の調光性制御を提供するために）１以上の起動信号又は値１５０を関連するドライバー１２０のレベル制御回路１２２に供給することができ、及び／又はプロセッサー１４１はかかる起動信号及び／又は値１５０を起動検出回路１４２の通信用インターフェース１４９を介して有線接続にしろ無線接続にしろ１以上の外部の照明デバイス１１０（及び／又は１以上の非照明デバイス）に供給することができる。
【００２６】
図１２はもう１つ別の可能な実施形態を示し、プロセッサー１２２及び通信用インターフェース１２９がドライバー１２０内に備えられている。この例において、ラッチ回路１４８は起動信号１４２をドライバープロセッサー１２２に供給し、次にドライバープロセッサー１２２が１以上の起動信号又は値１５０を、関連するドライバー１２０のレベル制御回路１２２の一方又は両方に、及び／又は通信用インターフェース１２９を介して１以上の外部の照明デバイス１１０（及び／又は１以上の非照明デバイス、図示してない）に供給する。
【００２７】
起動検出回路１４０及び／又はドライバー１２０の一方又は両方にプロセッサー１４１、１２９を設置することにより、１以上のＯＬＥＤ１３１のユーザーにより開始された起動に基づいて無限の数の制御処置を取ることが可能になる。例えば、起動されたＯＬＥＤは、かかるユーザーにより開始された起動に従って選択的に調光することができる。また、或いは組み合わせて、かかるユーザーの起動により、１以上の外部の照明デバイス１１０を選択的に調光したり及び／又は遮断したり若しくは作動させたりすることができる。ＯＬＥＤ１３１の意図してない起動間の区別を容易にするために、起動検出回路１４０及び／又はプロセッサー１２２、１４９は、上記のように感知される摂動が１以上の閾値を超えることになる作動に対してのみかかる制御処置を採用するか又は開始するように構成することができ、及び／又はゼロでない所定の時間内に２以上の摂動２０２が検出された後にのみこれらの構成要素が制御処置を開始し得る。
【００２８】
また、ユーザーの作動の検出される頻度に基づいて異なる制御処置を取ることができ、例えば、ユーザーがＯＬＥＤ１３１を速く押す場合にはより大きい増分によって調光したり、或いはユーザーがＯＬＥＤ１３１を遅く押す場合には微調整された照明調節のために小さい増分によって調光したりできる。さらに、プロセッサー１２２、１４９は、ユーザーの作動頻度に基づいて及び／又は電圧摂動２０２の大きさに基づいて異なる処置を取るように構成することができ、例えば速いユーザーの作動又はより大きい摂動２０２では照明を強くし、遅いユーザーの作動又はより小さい電圧摂動２０２では照明を弱くすることができる。
【００２９】
さらに、プロセッサー１２２、１４９は（例えば、接続された通信用インターフェース１２９、１４９を介して）対応する制御処置を開始させるための、例えば、加熱／空調システム及び／又は天井扇風機システムの環境制御設定を変更したり、ホームセキュリティーシステムを作動／停止させたり、家庭用電化製品の設定を変更したり、ガレージドアを開閉したり、電話その他の通信装置の設定に応答したり／調節したり、家庭用娯楽機器を操作したり、コンピュータシステムと交信したり、等のための任意の形態の制御可能なデバイスに信号及び／又はメッセージを送ることができる。
【００３０】
ここで図１３及び１４を参照すると、グラフ２００及び２１０は、所与のＯＬＥＤパネル１３０を異なる位置で押すユーザーに対応して異なる大きさを有する電圧の摂動２０２を示す。例えば、図１３の例で見られるように、増幅器入力信号は、ユーザーが四セグメントＯＬＥＤアレイ１３０をほぼ中心領域１３６で押したときに比較的大きい摂動２０２を有する。逆に、図１４は、ユーザーがＯＬＥＤパネル１３０の縁近くの異なる位置１３８で押したとき増幅器入力のより小さい摂動２０２を図示するグラフ２１０を示す。グラフ２００及び２１０で見られるように、２つの異なる閾値ＴＨ１及びＴＨ２を使用すると、起動検出回路１４０及び／又はプロセッサー１２２、１４９がパネル１３０のこれらの異なる部分１３６、１３８のユーザーの作動を識別することが可能になり、そのためユーザーはパネル１３０の異なる部分を選択的に起動することにより別個の照明（またはその他の）制御機能を実行することが可能になる。さらに、類似の閾値系選択制御を用いて、ＯＬＥＤパネル１３０にかかるユーザーの作動圧力の２以上の異なるレベルを識別することができる。この点に関して、大きい摂動２０２（例えば、図１３）はユーザーがパネル１３０を強く押すことの結果であり、一方軟らかい作動（パネル１３０の同じ位置であっても）の結果はより小さい電圧摂動２０２（例えば、図１４）となろう。こうして、開示された照明デバイス１１０は、作動圧力に基づく別個の（照明またはその他の）制御処置、例えば、パネル１３０を強く押した場合の速い調光、及びより軽く押した場合のより小さい調光変化分を実行する能力をユーザーに提供する。
【００３１】
図１８も参照して、代表的な自己調光性ＯＬＥＤ系照明デバイス１１０が図１５及び１６に図示されており、この場合は起動検出回路１４０がそれぞれオンボード及び外部のドライバーで電流の摂動２２２（図１７及び１８）を検出するために第１のＤＣ接続１３２と直列に連結されている。起動検出回路１４０はユーザーが光パネル１３０の１以上のＯＬＥＤ１３１を押すことにより生じる電流摂動を検出する。これらの例において、定電圧ドライバー電源１２０が調整された電圧出力を光パネル１３０に供給し、ＯＬＥＤ１３１を通って流れる電流の摂動２２２が起動検出回路１４０により感知され、これが少なくとも部分的に感知された電流摂動２２２に基づいて１以上の起動信号１４２を供給する。
【００３２】
図１７及び１８のグラフ２２０及び２３０に見られるように、起動検出回路１４０は、ユーザーがＯＬＥＤパネル１３０の異なる部分を押すことにより生じる電流の摂動を、異なるコンパレータ閾値ＴＨ１及びＴＨ２を用いて区別することができる。図１７のグラフ２２０は、ユーザーがパネル１３０の中心部分１３６を押したときの、ＴＨ１及びＴＨ２の両方を超える比較的に大きい大きさを有する代表的なＯＬＥＤ電流の摂動２２２を示す。図１８のグラフ２３０に見られるように、代わりにユーザーがパネル１３０の隅の部分１３８を押したとき、より小さい電流の摂動２２２が生じ、起動検出回路１４０はこの異なる大きさをＴＨ１を超えているが第２の閾値ＴＨ２を超えていないとして見分けることができる。これらの実施形態において、他の場合ほぼ一定のＤＣ電流における摂動を感知することができるあらゆる適切な電流感知／検出技術及び／又は回路、例えば増幅器、コンパレータ、パルス検出器及び／又はラッチ（例えば、上記図９−１１の電圧摂動の例に見られる）を起動検出回路１４０に使用することができる。起動検出回路１４０は、自己調光を実行するため、及び／又は１以上の制御処置を実行するために１以上の外部デバイスに起動信号１４２を出力する（及び／又は１以上の起動信号または値１５０を、例えばプロセッサーを介して出力し得る）。
【００３３】
図１９及び２０も参照すると、図１９は、ＡＣ入力電力を受け取るために端子Ｔ１及びＴ２にそれぞれ接続された第１及び第２の入力、並びに接続された光パネル１３０のＤＣ電力接続１３２及び１３４に接続するための出力端子を有するＡＣ−ＤＣコンバータ（ドライバー回路）１２６を含む代表的な電源１２０を示す。コンバータ１２６はＡＣ電源１０４からの入力電力を変換するように作動して、出力１３２及び１３４を介してＤＣ電力を光パネル１３０の１以上の半導体照明構成要素（ＯＬＥＤ１３１）に供給して一般照明を生じさせる。電源１２０はまた、ＡＣ−ＤＣコンバータ１２６を動作させて調整された出力ＤＣ電流をＯＬＥＤ１３１に供給するレベル制御回路１２２も含む。この場合、電源１２０は一般に上記したような起動検出回路１４０を含み、コンバータ１２６が電力を供給している間にユーザーが１以上のＯＬＥＤ１３１を押すか又はその他物理的に起動することにより生じる、ドライバー出力１３２及び１３４にかかる電圧の摂動２０２を感知する。起動検出回路１４０は、１以上の起動信号１４２をレベル制御回路１２２に、及び／又は任意の信号出力端子を介して１以上の外部デバイス（図には示してない）に選択的に供給する。
【００３４】
図２０は別の実施形態を示し、ここでは電力源１２０が、電源１０４からの入力ＡＣ電力を受け取り、電力源１２０に接続された１以上のＯＬＥＤ１３１を駆動するための調整された電圧ＤＣ出力電流を供給する定電圧ＡＣ−ＤＣコンバータ（ドライバー回路）１２６を含んでいる。この実施形態において、起動検出回路１４０は、コンバータ１２６から接続された光パネル１３０のＯＬＥＤ１３１を通って流れる電流における、ユーザーによる１以上のＯＬＥＤ１３１の物理的起動により生じた摂動（上記図１７及び１８の２２２）を感知する。さらに、起動検出回路１４０は、１以上の起動信号１４２を、コンバータ１２６を動作させるレベル制御回路１２２及び／又は外部デバイスに選択的に供給する。
【００３５】
こうして、本開示は、起動検出回路１４０及び半導体光パネル１３０を単独で又は関連するドライバー１２０と組み合わせて含む照明デバイス１１０（例えば上記図１−８）、並びに関連する光パネル１３０に接続し得る起動検出回路１４０を提供する。さらに、本開示は、ドライバー１２６を含む電源１２０並びに半導体照明パネル１３０に連結することができる組み込まれた起動検出回路１４０を提供する。
【００３６】
以上の例は本開示の様々な局面の幾つかの可能な実施形態の単なる例示であり、ここで等価な変更及び／又は改変は本明細書及び添付の図面を読み理解することで当業者には自明である。特に、上記構成要素（アセンブリ、デバイス、システム、回路、など）により実行される様々な機能に関して、かかる構成要素を説明するのに使用した用語（例えば、「手段」の引用）は、他に示されない限り、本開示の例示した実施において特定の機能を実行する開示された構造と構造的に等価でなくても、記載した構成要素の特定の機能を実行する（すなわち、機能的に等価な）ハードウエア、プロセッサーにより実行されるソフトウエア、又はそれらの組合せのようなあらゆる構成要素に対応するものである。本開示の特定の特徴が幾つかの実施の１つのみに関して説明及び／又は記載されているかもしれないが、かかる特徴は、任意の所与の又は特定の応用に対して所望かつ有利であり得るので、他の実施の１以上の他の特徴と組み合わせ得る。また、単数形で表現した構成要素又は事項は、特に断らない限り、２以上のかかる構成要素又は事項を包含するものである。また、用語「含む」、「有する」、「伴う」、又はこれらの派生語が詳細な説明及び／又は特許請求の範囲で使用されている場合、かかる用語は用語「含まれる」と同様に包括的であるものである。本発明を好ましい実施形態に関連して説明して来た。明らかに、改変及び変更が上記詳細な説明を読み理解したものには自明であろう。本発明はかかる改変及び変更を包含するものである。
【図１】
2014519147.tif 000003
【図２】
2014519147.tif 000004
【図３】
2014519147.tif 000005
【図４】
2014519147.tif 000006
【図５】
2014519147.tif 000007
【図６】
2014519147.tif 000008
【図７】
2014519147.tif 000009
【図８】
2014519147.tif 000010
【図９】
2014519147.tif 000011
【図１０】
2014519147.tif 000012
【図１１】
2014519147.tif 000013
【図１２】
2014519147.tif 000014
【図１３】
2014519147.tif 000015
【図１４】
2014519147.tif 000016
【図１５】
2014519147.tif 000017
【図１６】
2014519147.tif 000018
【図１７】
2014519147.tif 000019
【図１８】
2014519147.tif 000020
【図１９】
2014519147.tif 000021
【図２０】
2014519147.tif 000022
【国際調査報告】
2014519147.tif 000023
2014519147.tif 000024